(57)【要約】水相および揮発性材料（好ましくは、フレグランス）を含有する疎水相を含み、一端が開放しており、該開放端を通気性フィルムで被覆したコンテナを備えた空気清涼化デバイス。前記空気清涼化デバイスはまた、電気的に加温された蒸気調合デバイスと組み合わされて用いられてもよい。【特許請求の範囲】
【請求項１】
開口端を有するコンテナを含む空気清涼化デバイスであって、該コンテナが、水相およびフレグランスを含む疎水相を含む組成物を保持し、前記開口端が通気性フィルムによって覆われている、前記空気清涼化デバイス。
【請求項２】
前記組成物が１０重量％を越える水を含む、組成物を保持した請求項１に記載の空気清涼化デバイス。
【請求項３】
コンテナが、下部の水相およびフレグランスを含む上部の疎水相を保持する、請求項１または２に記載の空気清涼化デバイス。
【請求項４】
コンテナが、水相およびフレグランス含有疎水相を含むエマルジョンを保持する、請求項１または２に記載の空気清涼化デバイス。
【請求項５】
通気性フィルムが、モノリシックフィルムおよび微孔性フィルムから選択される、請求項１〜４のいずれかに記載の空気清涼化デバイス。
【請求項６】
モノリシックフィルムが、ポリエチレングリコール、ポリプロピレングリコール若しくはポリテトラメチレングリコールまたはそれらの混合物から選択されたポリエーテルユニットにより形成されたソフトセグメントを含むコポリマーである、請求項５に記載の空気清涼化デバイス。
【請求項７】
モノリシックフィルムが、ポリ（エーテルコアミド）フィルムおよびポリ（エーテルコエステル）フィルムから選択される、請求項５または６に記載の空気清涼化デバイス。
【請求項８】
組成物の上部表面と通気性フィルムの下部表面との間に空間を有する、請求項１〜７のいずれかに記載の空気清涼化デバイス。
【請求項９】
通気性フィルムに非通気性材料が離脱可能に密着している、請求項１〜８のいずれかに記載の空気清涼化デバイス。
【請求項１０】
ａ）コンテナに水相を満たす工程、
ｂ）水相の上に、フレグランスを含む疎水相を添加する工程、
ｃ）コンテナの開口端を通気性フィルムで被覆する工程、
および任意に、
ｄ）非通気性フィルムを通気性フィルムに密着させる工程
を含む、空気清涼化デバイスの製造方法。
【請求項１１】
請求項１〜９のいずれかに記載の空気清涼化デバイスの、周囲空気へフレグランスを放出するための使用。
【発明の詳細な説明】
【発明の詳細な説明】
【０００１】
本発明は、周囲空気（ambient air）へ揮発性物質を制御放出するためのフレグランス組成物、および、それを含む空気清涼化（air-freshening）デバイスに関する。
使用の間にフレグランスの強度および／またはフレグランスの特徴の重大な変化がなく、例えば４〜６週間の長い期間、心地よい、自然な芳香を提供するフレグランス放出システムの需要が増大している。
【０００２】
空気清涼化デバイスからのフレグランスの放出程度を制御するためのゲル組成物が知られている。最初のゲルの１つは、例えば、カラギーナンなどの海草抽出物から作られる。しかしながら、これらのゲルは、相対的に小さな濃度のフレグランスオイルを保持できるだけであり、フレグランス放出特性は乏しい。欧州特許出願第0 631 788号は、水性の液体と、香料を担持しているオイル吸収性樹脂に組込まれたゲル化剤とを含む水性ゲルを含むゲル様フレグランス組成物を開示している。そこでは、香水の特徴とは無関係に、長期間の十分にバランスの取れた揮発性の放出が達成することができた旨記述されている。これら水性ゲル組成物は、２０重量％までの香料を含有し得る。ここ数年、より高濃度のフレグランスオイルを保持できる他のゲル化剤が用いられてきた。米国特許第5 643 866号明細書は、フレグランスオイル、グリコールおよびゲル化剤としてジベンジリデンソルビトールアセタール（ＤＢＳＡ）を含む、水晶のように透明で自己支持型（self-supporting）の高濃度ゲルを開示する。前記ゲルは、フラグレンスオイルを８０％まで負荷することができる。米国特許第5 780 527号明細書は、固く乾燥した（rigid dry）透明なゲルが、フレグランス組成物の存在するところで、液体ポリマー材料と架橋剤を反応させることによって得られることを開示する。
【０００３】
非ゲル様フレグランス組成物は、電気的に熱せられる蒸気調合デバイスと組み合わされて、または、例えば、芯（wick）などのフレグランスの放出を制御するための他の手段と組み合わされて広がる。典型的には、溶媒は、フレグランスの制御放出を支援するために用いられる。例えば、欧州特許出願第1 078 640号は、芯を含む空気清涼デバイスで用いる３０％〜６０％グリコールエーテルを含む単相水性空気清涼化組成物を開示している。
【０００４】
浸透性のポリマー材料のシートを有する、周囲空気を香りで満たすためのいくつかのデバイスが、例えば、EP 0 093 262、US 5,788,155およびEP 1 082 969などに記載されている。先行技術は、フレグランスを含む組成物の性質およびこれが有するであろうフレグランス放出の性能における効果について、何も言及していない。
【０００５】
デザインにおいて見て美しく、そして持続期間とフレグランス品質に関して改善されたフレグランス放出をもたらす空気清涼システムを提供する必要性が残っている。しかしながら、本発明者らは、制御された持続的な方法で周囲空気へ相当量のフレグランスを供給することにおいて、通気性フィルムが、水相およびフレグランスを含む疎水相を含む組成物との組合せで、非常に良好に機能するという驚くべき発見をなした。
【０００６】
したがって、第１の態様において、本発明は、開口端を有するコンテナを含む空気清涼化デバイスであって、該コンテナが、水相およびフレグランスを含む疎水相を含む組成物を保持し、前記開口端が、フレグランスおよび水蒸気が出ていくことができる通気性フィルムによって覆われている、前記空気清涼化デバイスに関する。
【０００７】
驚くべきことに、本発明者らは、フレグランスへの水の添加が、空気清涼化デバイスの寿命に影響を与えるだけでなく、フレグランスの本質的に継続的な放出に重要でもあることを見出した。空気清涼デバイスは、強力なフレグランス放出を可能にし、そして放出されるフレグランスの特性は、長期間、例えば、４〜６週間、実質的に変わらない。本発明者らは、水の存在が、放出されるフレグランスのインパクトと質に影響し、例においてより明確に示されるように、使用の期間にわたる製品の失われた重量によって測定された、より高い蒸発プロフィールを導くことを見出した。蒸発の割合、したがって清涼化デバイスの寿命は、水とフレグランスの割合に依存して変化し得る。好ましい態様において、水とフレグランスとの間の重量比は、約９：１〜約１：９であり、より好ましくは、約７：３〜約３：７であり、最も好ましくは、４：１〜約２：３である。
【０００８】
フレグランスの強度は、臭気値（odour value）の測定によって、または、スニッフィング（sniffing）によって、評価することができる。フレグランス材料の臭気値は、蒸気圧およびその平均臭気しきい濃度の比として定義される。臭気しきい濃度は、例えば、ASTM E679-91に記載されている標準的な方法によって測定され得る。フレグランス組成物の臭気値を算出するために、フレグランスの蒸気圧および臭気しきい濃度を決定しなければならない。臭気値を決定する方法の時間がかかることおよび手の込んだ性質から、香水分野においてよく知られたスニッフィングによるフレグランス強度の分析が好ましい。
【０００９】
フレグランスの特徴（いわゆる 「ヘドニックキャラクター（hedonic character）」）は、蒸発を介した全てのフレグランス成分の寄与による。高い揮発性フレグランス成分（いわゆる「トップノート（Top Notes）」」）は、フレグランスの第一印象を担う。より低い揮発性フレグランス成分（「ハートノート（Heart Notes）」としても知られるいわゆる「ミドルノート（Middle Notes）」および「ベースノート（Base Notes）」としても知られるいわゆる「ボトムノート（Bottom Notes）」）は、フレグランスの長く続く印象を担う。フレグランスの特徴は、トップノート、ミドルノートおよびボトムノートの調和に依存する。明らかに、延長された期間にわたる空気清涼化デバイスの使用の間に、放出されたフレグランスの特徴を有意に変化させないことが、高く望まれている。本発明の空気清涼デバイスは、揮発性などのそれらの物理化学的な特性に関係なく、全てのフレグランス成分に対し、実質的に同じ通過の容易さを可能にすることができ、およびしたがってデバイスから揮散されたフレグランスのバランスのとれた性質を導く。いかなる理論によって結びつけられることを望むことなしに、出願人は、フレグランスへの水の添加によって、デバイスのヘッドスペースに発生した水蒸気が、フレグランスの揮発性にかかわりなく、通気性フィルムを通過するためのフレグランスに対する担体のように作用すると信じている。
【００１０】
ここで用いられる用語「通気性フィルム」とは、水蒸気の通過を許すが、液相の水の通過は許さないポリマーフィルムを意味する。通気性フィルムには、２つの異なる分類があり、即ち、微孔性フィルムおよびモノリシックフィルムとして知られている。
【００１１】
微孔性フィルムは、水蒸気の通過を可能にする小さな孔を備えたフィルムなどである。典型的には、例えば約１０μｍまでの小ささの孔サイズを有する微孔を含む。孔の小さなサイズによって、液相の水がフィルムを貫通するのを防ぐが、互いにつながった孔構造によって水蒸気の透過は可能である。微孔性フィルムは、例えば、ポリオレフィン、ポリテトラフルオロエチレン（PTFE）および沈降ポリウレタン（precipitated polyurethanes）から作られていてもよい。
【００１２】
モノリシックフィルムは、いわゆる「ハード」および「ソフト」セグメントを有するコポリマーに基づく。ハードセグメントは、ポリエステルであってよく、例えば、グリコール、プロパンジオール、またはブタンジオールユニットおよびエステル官能基で結合されたジカルボン酸ユニット、ポリウレタン、またはポリアミド、例えば、ポリアミド６（ＰＡ−６）、ポリアミド１１（ＰＡ−１１）またはポリアミド１２（ＰＡ−１２）であってよい。水蒸気の透過を左右するソフトセグメントは、ポリエーテルユニット、例えば、ポリエチレングリコール（ＰＥＧ）、ポリプロピレングリコール（ＰＰＧ）もしくはポリテトラメチレングリコール（ＰＴＭＧ）またはこれらの混合物、および例えば、テレフタル酸などのジカルボン酸によって形成されていてもよい。ポリエステルブロックハードセグメントに基づくモノリシックフィルムは、米国特許第5 800 928号、第4 725 481号および第6 001 464号明細書に記載されている。ポリウレタンハードセグメントに基づくモノリシックフィルムは、米国特許第5 800 928号および第6 001 464号明細書に記載されている。ポリアミドハードセグメントに基づくモノリシックフィルムは、米国特許第5 800 928号および第5 506 024号明細書に記載されている。これらの全ては、本明細書に参照として組込まれている。
【００１３】
ソフトセグメントの分子量およびガラス転移温度を含むパラメータが、フィルムの可撓性に影響を与える。したがって、ソフトセグメントの分子量は、好ましくは、６００〜４０００ｇ／ｍｏｌの間である。ガラス転移温度は、好ましくは、０℃より下である。ソフトセグメントの量は、所望の特性に依存して広範に変化してよい。しかしながら、好ましい態様において、ソフトセグメントの量は、フィルムの１５重量％〜４０重量％の間であり、好ましくは、２０重量％〜３０重量％である。ポリプロピレングリコールから形成されたソフトセグメントが好ましい。最も好ましくは、ポリエチレングリコールまたは、ポリエチレングリコールとポリプロピレングリコールとの混合物により形成されたソフトセグメントである。
モノリシック通気性フィルムの例としては、例えば、アトフィナ（Atofina）のPEBAX（登録商標）などのポリ（エーテルコアミド）および例えば、デュポン（DuPont）のHYTREL（登録商標）などのポリ（エーテルコエステル）が挙げられる。
【００１４】
フィルムの親水性などの特性、その透明性（crystallinity）並びにある種の添加剤（例えば、フィラー）の存在および量は、フィルムの通気能力（breathability）に影響し得る。「通気能力」によって、透湿度（water-vapour transmission rate）（ＷＶＴ）または水蒸気浸透性（water-vapour permeability）（ＷＶＰ）が意味される。その測定単位はｇ／ｍ２／２４ｈであり、２４時間で１平方メートルのフィルムを通過する水蒸気のグラムがいくらかを測定することによって、算出される。例えば、ASTM E96およびDIN 53 122など、この性質を測定するために種々の試験方法が開発されてきた。大抵の標準的な方法は同じコンセプトであるが、算出した透湿度に影響のある可変要素、例えば、試験環境の温度および相対湿度、試験方法の原理、即ち、直立式皿水法（upright dish water method）、直立式皿乾燥法（upright dish desiccant method）、逆カップ法（inverted cup method）および逆水法（inverted water method）がある。結果として、異なる方法からの結果は、直接比較できない。
【００１５】
本発明の通気性フィルムは、好ましくは、約１０μｍ〜約５０μｍの厚さ、さらに好ましくは１５μｍ〜約４０μｍの厚さを有していてもよい。
本発明のコンテナは、空気清涼デバイスに一般的に用いられるいかなる材料、例えば、ガラスまたはプラスチック製であってもよい。このような材料は、例えば、精油などのフレグランス材料の存在下で安定であるものが好ましい。コンテナは、開口端を有し、水相および油相を受け入れ可能であれば、いかなる形または構成であってもよい。満たされたコンテナにおいて、上液面が通気性フィルムの表面に境を接していないことが好ましい。むしろ、好ましい態様において、液相の上表面と通気性フィルムの下表面の間に空間があるべきであり、そこでフレグランスと水蒸気のヘッドスペースが発生してもよい。この空間は、好ましくは、８ｃｍ以下、より好ましくは、３ｃｍ以下、例えば、１ｃｍ〜２ｃｍの間、最も好ましくは、１ｃｍ以下である。
【００１６】
通気性フィルムは、接着、熱シールなどの従来の任意の手段を用いて、コンテナに密着して取り付けられていてもよい。このような手段は、液体組成物の漏出を避けるためにフィルムとコンテナとの間に強力な結合を形成するものが好ましい。
【００１７】
本発明の疎水相はフレグランスからなる。本発明のフレグランスは、酸類、エステル類、アルコール類、アルデヒド類、ケトン類、ラクトン類、ニトリル類、エーテル類、アセテート類、炭化水素類、硫黄含有、窒素含有および酸素含有複素環、多環式および大環状化合物などの分類並びに天然および人工由来のエッセンシャルオイルから選択されるフレグランス材料の混合物である。このようなフレグランス材料は、例えば、S. Arctander Perfume Flavors and Chemicals Vols. 1 and 2、Arctander、Montclair、NJ USA 1969などに記載されている。フレグランスは、選択的に、ジプロピレングリコール、プロピレングリコール、ジエチルフタレート、ベンジルベンゾエート、トリエチルシトレート、イソプロピルミリステート、カルビトールおよびヘキシレングリコールまたはこれらの混合物などの無臭液体を含んでもよい。該液体の好適な選択は、用いられ得る量に依存するだけでなく、フレグランスの性質に依存し、そして当業者によって十分に適するようになされる。好ましくは、フレグランスは、これら液体を２０重量％まで含む。フレグランスは、溶媒の存在によるか、または製造過程による残留水（residual water）を含み得る。本発明に関し、本発明の組成物を形成するために存在し得る任意の残留水に加え、水が加えられなければならないと、理解される。好ましい態様において、本発明の組成物は、１０重量％を超える水、さらに好ましくは２５重量％を超える水、最も好ましくは、５０重量％〜９０重量％の水を含む。当業者は、低いフレグランス濃度で効果が達成もされ得ることを知ることになる。したがって、９５重量％の水またはそれを超える（例えば、９８％）水を含む組成物もまた本発明の組成物を形成するのに用いられ得る。
選択的に、疎水相は、例えば、チバ（Ciba）製のPuricolor（登録商標）blue FBL5、Puricolor（登録商標）blue ABL9、Puricolor（登録商標）green U3またはPuricolor（登録商標）yellow AYE23などの親油性色素を含み得る。
【００１８】
空気清涼化デバイスにおいて、フレグランスは、好ましくは、１０００μｇ／ｌを超える蒸気圧を有する多量のフレグランス材料を含む。これらのフレグランス材料は、「トップノート」として分類され、アセテートＣ６へキシリック、アセトフェノン、アルコールＣ６へキシリック、アルデヒドＣ７へプチリック、アルデヒドＣ９イソノニリック、アリルカプロエート、アリルオイナンテート（allyl oenanthate）、アミルブチレート、アミルビニルカルビノール、アナピア（anapear）、ベンズアルデヒド、ベンジルホルメート、ベンジルメチルエーテル、ボルニルアセテートリキッド、ブチルアセテート、カンフェン、カルビトール、シトロネナル、クレシルメチルエーテル（パラ（para））、シクラルＣ（cyclal C）、シメン（パラ）、デセナル−４−トランス（decenal-4-trans）、デルタ−３ カレン、ジエチルマロネート、ジヒドロアネトール、ジヒドロミルセノール、ジメチルオクテノン、ジメトール、ジミセトール、ジペンテン、エストラゴール、エチルアセテート、エチルアセトアセテート、エチルアミルケトン、エチルベンゾエート、エチルブチレート、エチルカプロエート、エチルイソアミルケトン、エチルイソブチレート、エチルメチル−２−ブチレート、エチルオイナンテート（ethyl oenanthate）、エチルプロピオネート、ユーカリプトール、フェンコン（アルファ）、フェンキルアセテート、フェンキルアルコール、フレスコメンテ（freskomenthe）、ゲラノジル（geranodyle）、グアヤコール、ヘキセナル−２−トランス(hexenal-2-trans)、ヘキセノール−３−シス（hexenol-3-cis）、ヘキセニルアセテート、ヘキセニル−３−シスブチレート、ヘキセニル−３−シスホルメート、ヘキセニル−３−シスイソブチレート、ヘキセニル−３−シスメチル−２−ブチレート、ヘキセニル−３−シスプロピオネート、ヘキシルブチレート、ヘキシルイソブチレート、ヘキシルプロピオネート、ハイドラトロピック（hydratropic）アルデヒド、イソアミルプロピオネート、イソブチルイソブチレート、イソシクロシトラール、イソペンチレート、イソプロピルメチル−２−ブチレート、イソプレゴール、リーフアセタール（leaf acetal）、ライムオキサイド（lime oxide）、リメトール（limetol）、リナロールオキサイド、リナロール、マンザネート（manzanate）、メロナール、メントン、メチルアミルケトン、メチルベンゾエート、メチルカモミール（methyl camomille）、メチルヘキシルケトン、メチルパンプルムース（methyl pamplemousse）、メチルサリチレート、ノナニルアセテート、オシメン、オクテニルアセテート、パンダノール（pandanol）、ピネン（アルファ）、ピネン（ベータ）、プレニルアセテート、テルピネン（ガンマ）、テルピノレン、テトラヒドロシトラール、テトラヒドロリナロール、トリシクラール（tricyclal）およびバレロラクタン（ガンマ）から選択され得る。
【００１９】
蒸気圧１０μｇ／ｌ〜１０００μｇ／ｌを有するフレグランス材料は、「ミドルノート」として分類され、アセタールＥ、アセタールＲ、アセトアニソール、アドキサル（adoxal）、アグルメックス（agrumex）、アルコールＣ１０デシリック、アルコールＣ１１ウンデシレニック、アルコールＣ１２ラウリック、アルコールＣ８オクチリック、アルコールＣ９ノニリック、アルデヒドＣ１１ウンデシレニック、アルデヒドＣ１１ウンデシリック、アルデヒドＣ１２ラウリック、アルデヒドイソＣ１１、アリルアミルグリコレート、アリルシクロヘキシルプロピオネート、アンブリノール、アミルベンゾエート、アミルカプロエート、アミルケイヒ酸アルデヒド、アミルフェニルアセテート、アミルサリチレート、アネトール合成品、アニシルアセテート、アニシルアルコール、アンセル（anther）、オーベピンパラクレゾール、ベンジルアセトン、ベンジルブチレート、ベンジルイソブチレート、ベンジルイソバレレート、ベンジルプロピオネート、ベルガミル（bergamyl）アセテート、ベリフロー（berryflor）、ボイシリス（boisiris）、ブチルブチロラクテート、ブチルシクロヘキサノール（パラ）、ブチルシクロヘキシルアセテート（パラ）、ブチルキノリン（第２級）、
【００２０】
カルボンリーボ（carvone laevo）、カリオフィレン、カシュメラン（cashmeran）、セドレンエポキシド、セドロキシド（cedroxyde）、セドリルメチルエーテル、セロリーケトン、センチホルイル（centifolyl）、セトナール（cetonal）、セトン（アルファ）（cetone alpha）、桂皮アルデヒド、シンナミルアセテート、シトラルジメチルアセタール、シトロジル（citrodyle）、シトロネロール、シトロネリルアセテート、シトロネリルブチレート、シトロネリルホルメート、シトロネリルイソブチレート、シトロネリルニトリル、シトロネリルオキシアセトアルデヒド、シトロネリルプロピオネート、クローナル、コニフェラン（coniferan）、クレオゾール、クレシルアセテート（パラ）、クレシルイソブチレート（パラ）、クミンニトリル、クミニック（cuminic）アルデヒド、クミニルアルコール、シクラメンアルデヒドエクストラ、シクログラバネート、シクロヘキシルエチルアセテート、シクロヘキシルサリチレート、シクロメチレンシトロネロール、シペレート（cyperate）、ダマセノン、デカヒドロナフチルホルメート（ベータ）、デカラクトン（デルタ）、デカラクトン（ガンマ）、デカトン（decatone）、デシルメチルエーテル、デルフォン（delphone）、ジヘキシルフマレート、ジヒドロアンブレート（dihydro ambrate）、ジヒドロシクラセット（dihydro cyclacet）、ジヒドロオイゲノール、ジヒドロファーネサル（dihydro farnesal）、ジヒドロイオノン（ベータ）、ジヒドロジャスモン、ジヒドロリナロオール、ジヒドロテルピネオール、ジメチルアントラニレート、ジメチルベンジルカルビノール、ジメチルベンジルカルビニルアセテート、ジメチルベンジルカルビニルブチレート、ジメチルフェニルエチルカルビノール、ジメチルフェニルエチルカルビニルアセテート、ジフェニルメタン、ジフェニルオキシド、ジプロピレングリコール、デュピカル（dupical）、
【００２１】
エバノール（ebanol）、エチルカプリレート、エチルシンナメート、エチルデカジエノエート、エチルリナロール、エチルリナリルアセテート、エチルオクテノエート−２、エチルペラルゴネート、エチルフェノキシアセテート、エチルフェニルアセテート、エチルフェニルグリシデート、エチルサリチレート、オイゲノール（純）、オイゲノールアセテート、ファルネセン、フェンアルデヒド（fennaldehyde）、フィクサンブレン（fixambrene）、フロラロゾン（floralozone）、フローラマット（floramat）、フロロール（florol）、フロロパル（floropal）、フォレノックス（folenox）、フォリオン（folione）、フォルロシア（folrosia）、フライストン（fraistone）、フルクトン（fructone）、フルイテート（fruitate）、ガーデノール（gardenol）、ガードシクレン（gardocyclene）、ジョージーウッド（georgywood）、ゲラニオール、ゲラニトリル（geranitrile）、ゲラニトリルＴ、ゲラニルアセテート、ゲラニルアセトン、ゲラニルブチレート、ゲラニルクロトネート、ゲラニルホルメート、ゲラニルイソブチレート、ゲラニルプロピオネート、ギブスコーン（givescone）、グリコリエラル（glycolierral）、グアイイル（guaiyl）アセテート、ギラン（gyrane）、ヘリオトロピン結晶、ヘキセニル−３−シスベンゾエート、ヘキセニル−３−シスヘキセノエート、ヘキセニル−３−シスサリチレート、ヘキセニル−３−シスチグレート、ヘキシルベンゾエート、ヒドロキシシトロネナルジメチルアセタール、インドフロア（indoflor）、インドール（純）、インドレン（indolene）、イオノン（ベータ）、イリサンテーマ（irisantheme）、イリソン（アルファ）、イロナール（ironal）、イロン（irone）（アルファ）、イロンＥ、イロンＦ、イソＥスーパー（iso E super）、イソボルニルプロピオネート、イソブチルベンゾエート、イソブチルフェニルアセテート、、イソブチルキノリン−２、イソブチルサリチレート、イソキャリオールアセテート（isocaryol acetate）、イソオイゲノール、ジャスマール（jasmal）、ジャスミンラクトン（デルタ）、ジャスミンラクトン（ガンマ）、ジャスモラクトン、ジャスモン（シス）、ジャスモニル、ケファリス（kephalis）、コヒノール（kohinool）、ラビエノン（labienone）、ラクトスカトン（lactoscatone）、レマローメ（lemarome N）、レモニレ（lemonile）、リーラル（lierral）、リリアル（lilial）、リナリル（linalyl）アセテート、リナリルブチレート、リナリルホルメート、リナリルイソブチレート、リナリルプロピオネート、リンデノール（lindenol）、
【００２２】
マジャントール（majantol）、マイヨール（mayol）、メンタニルアセテート、メタンブレート（metambrate）、メトキシフェニルブタノン、メチルアセトフェノン、メチルシンナメート、メチルシンナミックアルデヒド、メチルデカラクトン（ガンマ）、メチルジアンチリス（methyl diantilis)、メチルジフェニルエーテル、メチルイオナル（ベータ）、メチルイソオイゲノール、メチルオクタラクトン、メチルオクチルアセタールアルデヒド、メチルオクチンカーボネート、メチルフェニルアセテート、メチルキノリン（パラ）、モクサローン（moxalone）、ミラルデン（myraldene）、ネオフォリオン（neofolione）、ネロールＣ、ネリルアセテート、ノナジル（nonadyl）、ノピルアセテート、オクタヒドロクマリン、オクタラクトン（デルタ）、オクタラクトン（ガンマ）、オルシニル３、オリボーン（orivone）、オシロール（osyrol）、オキシオクタリンホルメート、パーマバート（parmavert）、ピーチ（純）、ペラロゴール（pelargol）、フェノキサノール（phenoxanol）、フェノキシエチルアルコール、フェノキシエチルイソブチレート、フェニルエチルアセテート、フェニルエチルアルコール、フェニルエチルブチレート、フェニルエチルホルメート、フェニルエチルイソブチレート、フェニルプロピオニックアルデヒド、フェニルプロピルアセテート、フェニルプロピルアルコール、ピノアセトアルデヒド、プリカトン（plicatone）、プレカロン（precarone）、プルノリド（prunolide）、ピラロン（pyralone）、ラジャノール（radjanol）、レセダル（resedal）、ローディニルアセテート、ルバフラン（rhubafuran）、ルーボフィックス（rhubofix）、ルーボフロア（rhuboflor）、ロサルバ（rosalva）、サンダローレ（sandalore）、センテナル（scentenal）、スカトール、スピランブレン（spirambrene）、ステモネ（stemone）、ストロベリー（純）、スチルアリルプロピネート、シリンガ（syringa）アルデヒド、タンゲリノール（tangerinol）、テルピネン（アルファ）、テルピニルアセテート、テルラニル（terranil）、テトラヒドロリナリルアセテート、テトラヒドロミルセノール、トリデセノニトリル、トロピオナール（tropional）、ウンデカトリエン、ウンデカバートル（undecavertol）、ベロウトン（veloutone）、バードル（verdol）、バージル（verdyl）アセテート、バージルプロピオネート、バーン（vern）アルデヒド、ベチナル（vetynal）、ベチベナル（vetyvenal）およびビリジン（viridine）から選択され得る。
【００２３】
１０μｇ／ｌより低い蒸気圧を有するフレグランス材料は、「ボトムノート」として分類され、２−ベンジル−４−メタノール−１，３−ジオキソラン、アルドロン（aldrone）、アンブレットリド、アンブロキサン（ambroxan）、ベンゾフェノン、ベンジルベンゾエート、ベンジルシンナメート、ベンジルフェニルアセテート、セピオネート（cepionate）、セタロックス（cetalox）、シトロネリルエトキサレート（citronellyl ethoxalate）、シベットン（civettone）、クレシルカプリレート（パラ）、クレシルフェニルアセテート（パラ）、シクロヘキサル、ジエチルフタレート、ディオーネ（dione）、ドデカラクトン（デルタ）、ドデカラクトン（ガンマ）、エチルマルトール、エチルバニリン、エチレンブラシレート、オイゲニルフェニルアセテート、エバニール（evernyl）、フィクソリド（fixolide）、フロルヒドラル（florhydral）、ガラクソリド、ゲラニルフェニルアセテート、ゲラニルチグレート、グリサルバ（grisalva）、へジオン（hedione）、ヘキシルシンナミックアルデヒド、ヘキシルサリチレート、イソメチルセドリルケトン、ライトン（laitone）、リナリルベンゾエート、リナリルシンナメート、リナリルフェニルアセテート、マルトール、マルチルイソブチレート、メチルセドリルケトン、メチルジヒドロイソジャスモネート、ムスコン、マイラルディル（myraldyl）アセテート、ネクタリル（nectaryl）、オコウマル（okoumal）、オレンジアルデヒド、オラニール（oranile）、ぺオニール（peonile）、フェニルエチルベンゾエート、フェニルエチルシンナメート、フェニルエチルフェニルアセテート、プロピルジアンチリス（propyl diantilis）、ロサセトール（rosacetol）、ロサフェン（rosaphen）、サンデラ（sandela）、シベトリド（thibetolide）、チンベロール（timberol）、トリエチルシトレート、ウンデカラクトン（デルタ）、バニリン、バニトロープおよびベルビオン（velvione）から選択され得る。
空気清涼化デバイスのために、フレグランスは、好ましくは、約１５重量％〜約８０重量％、より好ましくは、約２５重量％〜約６０重量％の「トップノート」を含んでいる。
【００２４】
本発明の水相は、例えば、蒸留水などの水でよい。水相に任意に存在する他の添加剤（excipients）は、水溶性フレグランス材料の移行（migration）を最小化するための、例えば、塩化ナトリウムおよび硫酸マグネシウムなどの塩である。水溶性染料などの他の添加剤が、水相に存在してもよい。
貯蔵中のフレグランスの蒸発を防ぐために、デバイスはコンテナ並びに通気性フィルムに密着させた、例えば、アルミホイル、ポリオレフィンフィルム、エチレンアクリル酸コポリマーフィルム、ポリエチレンテレフタレートフィルムまたはエチレンビニルアセテートフィルムなどの使用前に簡単に除去し得る非通気性フィルム材料を有していてもよい。
【００２５】
本発明の特に好ましい態様において、コンテナに保持される組成物は、フレグランスを含む上方の疎水相並びに下方の水相を含む。
他の態様において、疎水相および水相を含む組成物は、エマルションとして提供される。
該エマルションは、例えば、非イオン性界面活性剤（例えば、Shell Chemicals製のNeodol 91-8およびBASF製のCremophor RH40）などの界面活性剤を任意に含んでいてもよい。
【００２６】
本発明は、フレグランスを放出することの観点から記載してきた。しかしながら、本発明のデバイスは、防虫剤、昆虫誘引剤、もしくは殺虫効果を有する材料、抗微生物活性を有する物質、またはそれらの混合物などの他の成分を送達してもよい。これら活性成分（active principals）に加え、フレグランス組成物は、染料やＵＶ吸収剤などの添加剤を含んでもよい。
【００２７】
本発明のデバイスを製造するために、コンテナは第一段階において水相が注入され、次いで水相の上に疎水相が加えられる。疎水相および水相がエマルションとして提供される場合、第一段階において、両相は、当分野においてよく知られた方法に従い、分けて調製され、次いでエマルションを形成するために一緒に混合されてもよく、その後、得られたエマルションをコンテナに注入する。コンテナを満たした後、コンテナの開口端は、貯蔵のための除去可能な不透水性フィルムで覆われていてもよい通気性フィルムによって覆われる。
【００２８】
本発明は、室温での揮発性物質の制御放出のための空気清涼化デバイスに関して示され、記載されてきたのであるが、当業者には、該デバイスがまた、電気的に加温された蒸気調合デバイスと組み合わされて用いられることに気づき得ることは明らかである。
本発明は、以下の例によって例示される。
【００２９】
例１  種々の空気清涼化デバイスの製造およびそれらのフレグランス強度の評価
シトラスでスパイシーなトップノート並びにフローラルなミドルノート並びにアンバリー（ambery）でじゃ香のボトムノートを有するフレグランス組成物を全ての例において用いた。
【００３０】
比較製品Ａ（セルロースの芯を含む液体フレグランス組成物）
８．０ｇのフレグランスおよび８．０ｇのNeodol（Shell製）を室温で撹拌しながら調合。次いで、３４ｇの水、２５ｇのジプロピレングリコールメチルエーテルおよび２５ｇのエチルアルコールを添加。溶液が透明になるまで撹拌。７０ｇの溶液をガラスコンテナに注ぎ、コンテナの真中にセルロース製の芯を挿入。芯の一端は溶液に接し、他端は周囲空気にフレグランスを供給するために周囲空気に接している。
【００３１】
比較製品Ｂ（ゲル化剤を含む固形ゲルフレグランス組成物）
室温で、１．７３５ｇのLithene N4-9000-10MA（Revertex Ltd製）を８．０ｇのフレグランスと一緒に調合。０．２６５ｇのCrodamet O2（Revertex Ltd製）を撹拌しながら添加。約１０分間撹拌し、７ｇの該組成物をガラスコンテナに注入。
【００３２】
製品Ｃ（本発明の液体フレグランス組成物）
ガラスコンテナに１７．４ｇの水を注ぎ、５．６ｇのフレグランスを添加。コンテナをAtofina製のPebax（登録商標）MV 6100フィルムでシール。
【００３３】
製品Ａ、ＢおよびＣをブース内で評価した。
各製品のフレグランス強度を、スニッフィング（sniffing）によって２０人の専門家パネルにより評価した。結果を１〜５の基準で値をつけた。ここで、５はとても強い、４は強い、３は普通、２は弱い、１はとても弱いである。平均値を表１に示した。
【表１】
2005518840.tif 000002
【００３４】
製品Ｃのフレグランス強度は、全てのステージにおいて、比較製品のフレグランス強度よりも良好であった。すなわち、芯システム（比較製品Ａ）は製品の各時期においてフレグランスを弱く出させるだけであり、ゲルシステム（比較製品Ｂ）は１週間まで強いフレグランスを放出するがフレグランス強度はこの期間低減し、４週間後には、弱いと記された。
【００３５】
例２：ヘッドスペースによるフレグランスキャラクターの評価
例１に従い製造された製品Ａ、ＢおよびＣのブースの周囲空気を、新鮮な製品として並びに製造の１、２および４週間後に収集した。次いで、該サンプルをＧＣ／ＭＳにより分析した。結果を表２に示す。ヘッドスペース分析の原理は、Journal of Agriculture and Food Chemistry,Vol.19,No.6（1971）、1049〜1056頁に記載されている。
【表２】
2005518840.tif 000003
【００３６】
４週間の評価期間中、比較製品、即ち、芯システム（製品Ａ）およびゲルシステム（製品Ｂ）では、「トップノート」の濃度は顕著に減少した一方で、製品Ｃでは、「トップノート」の濃度は極めて高く維持されている。
【００３７】
例３：フレグランス性能の評価
ガラスコンテナに水を注ぎ、表３に示す混合物のスキームにしたがいフレグランスを添加し、Atofina製のPebax（登録商標）MV 6100フィルムでコンテナをシールする。
【表３】
2005518840.tif 000004
【００３８】
混合物Ａ、Ｂ、ＣおよびＤを、強度および品質に関し、専門家パネルによって評価し、次のランキングの結果になった：混合物Ｄは混合物Ｃよりも良好で、混合物Ｃは混合物Ｂよりも良好である。最も弱いのは、混合物Ａである。水を添加しない場合（混合物Ａ）、フレグランスの性能は極めて弱い。
【００３９】
例４：重量損失の評価
混合物Ａ（比較製品）を含むガラスコンテナおよび例３の混合物Ｃを含むコンテナの重量損失を、日ごと、３０日間測定した。結果を図１に示す。
【図面の簡単な説明】
【００４０】
【図１】混合物Ａ（比較製品）を含むガラスコンテナおよび例３の混合物Ｃを含むコンテナの重量損失を、日ごと、３０日間測定した結果。
【図１】
2005518840.tif 000005
【国際調査報告】
2005518840.tif 000006
2005518840.tif 000007
2005518840.tif 000008
2005518840.tif 000009